【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
電気的に制御された圧力解放弁の圧力出力を制御するための方法であって、
前記弁の目標位置を得るステップと、
前記弁の実際の位置を確定するステップと、
前記弁の前記実際の位置と前記弁の前記目標位置との間の差に比例する比例フィードバック項を発生するステップと、
少なくとも部分的に前記比例フィードバック項に基づいてバルブ制御信号を発生するステップであって、前記電気的に制御された圧力解放弁に適用されるべき前記力がバネ力をシミュレートするように、前記実際の位置から前記目標位置に向けて前記電気的に制御された圧力解放弁を移動するために、前記電気的に制御された圧力解放弁に適用されるべき力に応じて、前記バルブ制御信号を発生するステップと、
前記電気的に制御された圧力解放弁が、複数の流量入力に応じて線形の圧力出力を与えるように、前記バルブ制御信号に応じて前記電気的に制御された圧力解放弁に前記力を付与するステップと、
を備えていることを特徴とする制御方法。
【請求項２】
前記バルブ制御信号に応じて付与された前記力が、前記電気的に制御された圧力解放弁のバネ力及び減衰力をシミュレートしていることを特徴とする請求項１に記載の制御方法。
【請求項３】
前記力に応じた前記バルブ制御信号が、前記力を付与しているアクチュエータの少なくとも１つのゲインを表している集合ゲイン値及び前記アクチュエータの駆動回路に基づいて発生させていることを特徴とする請求項１に記載の制御方法。
【請求項４】
前記電気的に制御された圧力解放弁が、少なくとも１つのバルブオリフィスを画定しているバルブシリンダーを備えており、バルブピストンが前記バルブオリフィスを開放するように前記シリンダー内に移動可能に配置されており、前記力が前記バルブピストンに適用されていることを特徴とする請求項１に記載の制御方法。
【請求項５】
前記バルブオリフィスは、オリフィス面積が与えられた作動点で面積に対して均一に変化するように形成されていることを特徴とする請求項４に記載の制御方法。
【請求項６】
前記バルブオリフィスが、前記バルブピストンのストロークの初めに開く第１の半体部と、前記バルブピストンのストロークの終わりに開く第２の半体部とを備え、前記第１の半体部が前記第２の半体部よりも小さいオリフィス面積を備えていることを特徴とする請求項４に記載の制御方法。
【請求項７】
電気的に制御された圧力解放弁を制御するのに使用するためのソフト位置制御装置であって、
前記弁の目標位置を得る、前記弁の実際の位置を確定する、前記弁の前記実際の位置と前記目標位置との間の差に比例する比例フィードバック項を発生する、及び、前記電気的に制御された圧力解放弁のバルブピストンに適用されるべき力に応じて、少なくとも部分的に前記比例フィードバック項に基づいて、バルブ制御信号を発生し、それによって、前記実際の位置から前記目標位置に向けて前記バルブピストンを移動するように構成される前記ソフト制御装置において、
前記バルブ制御信号は、前記力がバネ力をシミュレートするように、前記目標位置に前記電気的に制御された圧力解放弁を移動するように構成され、
前記電気的に制御された圧力解放弁は、複数の流量入力に応じて画定された線形の圧力出力を提供することを特徴とするソフト位置制御装置。
【請求項８】
前記電気的に制御された圧力解放弁に応じて付与された前記力が、前記電気的に制御された圧力解放弁内のバネ力及び減衰力をシミュレートしていることを特徴とする請求項７に記載のソフト位置制御装置。
【請求項９】
前記力に応じた前記バルブ制御信号が、前記力を付与しているアクチュエータの少なくとも１つのゲインを表している集合ゲイン値及び前記アクチュエータの駆動回路に基づいて発生させていることを特徴とする請求項７に記載のソフト位置制御装置。
【請求項１０】
入力流体流れを受容し、出力圧力を提供するように構成された圧力解放弁と、
前記圧力解放弁のバルブピストンに力を付与することによって、前記圧力解放弁を作動させるように構成されたアクチュエータと、
前記弁の目標位置を得る、前記弁の実際の位置を確定する、前記弁の前記実際の位置と前記弁の前記目標位置との間の差に比例する比例フィードバック項を発生し、及び前記バルブピストンに付与されるべき前記力に応じて、少なくとも部分的に前記比例フィードバック項に基づいて、バルブ制御信号を発生し、それによって、前記実際の位置から前記目標位置へ前記バルブピストンを移動するように構成されたソフト位置制御装置であって、
前記バルブ制御信号は、前記力がバネ力をシミュレートするように、前記目標位置に前記電気的に制御された圧力解放弁を移動するように構成され、前記電気的に制御された圧力解放弁は、複数の流量入力に応じて画定された線形の圧力出力を提供するソフト位置制御装置と、
を備えていることを特徴とするバルブ制御システム。
【請求項１１】
前記圧力解放弁が、前記バルブピストンを受容するバルブシリンダーを備え、前記バルブシリンダーは、オリフィス面積が与えられた作動点で前記オリフィス面積に対して均一に変化するように形状付けられた少なくとも１つのバルブオリフィスを画定していることを特徴とする請求項１０に記載のバルブ制御システム。
【請求項１２】
前記バルブオリフィスが、前記バルブピストンのストロークの初めに開く第１の半体部と、前記バルブピストンのストロークの終わりに開く第２の半体部とを備え、前記第１の半体部が前記第２の半体部よりも小さいオリフィス面積を備えていることを特徴とする請求項１１に記載のバルブ制御システム。
【請求項１３】
前記バルブ制御システムに応じて付与された前記力が、前記電気的に制御された圧力解放弁内のバネ力及び減衰力をシミュレートしていることを特徴とする請求項１０に記載のバルブ制御システム。
【請求項１４】
前記アクチュエータが逆駆動できることを特徴とする請求項１０に記載のバルブ制御システム。
【請求項１５】
圧力に応じて移動するように構成されたバルブピストンと、
前記バルブピストンを受容しているバルブシリンダーであって、前記バルブシリンダーが少なくとも１つのバルブオリフィスを画定し、前記バルブシリンダー内の前記バルブピストンの移動が前記バルブオリフィスを開閉し、前記バルブオリフィスが、オリフィス面積が与えられた作動点で前記オリフィス面積に対して均一に変化するように形成されているバルブシリンダーと、
前記ピストンが前記バルブオリフィスを閉じる閉鎖された位置へ前記ピストンを付勢するバネと、
前記バルブピストンに力を付与することによって、前記圧力解放弁を作動するように構成されたアクチュエータと、
前記弁の目標位置を得る、前記弁の実際の位置を確定する、前記弁の前記実際の位置と前記弁の前記目標位置との間の差に比例する比例フィードバック項を発生する、及び前記力がバネ力をシミュレートするように、前記実際の位置から前記目標位置へ前記バルブピストンを移動するために、少なくとも部分的に前記比例フィードバック項に基づいて、バルブ制御信号を発生するように構成されたソフト位置制御装置と、
を備えている圧力解放弁であって、
前記電気的に制御された圧力解放弁が複数の流量入力に応じて、画定された線形の圧力出力を提供することを特徴とする圧力解放弁。
【請求項１６】
前記バルブオリフィスが、前記バルブピストンのストロークの初めに開く第１の半体部と、前記バルブピストンのストロークの終わりに開く第２の半体部とを備え、前記第１の半体部が前記第２の半体部よりも小さいオリフィス面積を有し、前記第１の半体部のオリフィス面積が、第２の半体部のオリフィス面積より高い割合で変化していることを特徴とする請求項１５に記載の圧力解放弁。
【請求項１７】
命令に応じて前記バルブピストンに力を与えるように構成された逆駆動できるアクチュエータをさらに備えていることを特徴とする請求項１５に記載の圧力解放弁。